(57)【要約】【課題】耐久性がよく食品工場などの衛生環境下で用いて好適なデッキ構造物の構築に寄与するデッキ材を提供する。【解決手段】第１の合成樹脂材料により成形される帯板状の基材部２と、第２の合成樹脂材料により基材部２の表面上に一体に成形される表層部３とから構成されるデッキ材１である。基材部２は、その長さ方向に沿って延びる隔壁部２２により区分された複数列の空洞部２１を有する。又、表層部３には、隔壁部２２に沿ってＶ字状の溝部３１が形成されている。第１の合成樹脂材料はポリ塩化ビニルであり、第２の合成樹脂材料はアクリロニトリル・スチレン樹脂である。【選択図】図１
0003157891.tif 000002
【実用新案登録請求の範囲】
【請求項１】
第１の合成樹脂材料により成形される帯板状の基材部と、第２の合成樹脂材料により前記基材部の表面上に一体に成形される表層部とから構成されるデッキ材であり、
前記基材部は、その長さ方向に沿って延びる隔壁部により区分された複数列の空洞部を有し、前記表層部には、前記隔壁部に沿ってＶ字状の溝部が形成されていることを特徴とするデッキ材。
【請求項２】
前記第１の合成樹脂材料がポリ塩化ビニルであり、前記第２の合成樹脂材料がアクリロニトリル・スチレン樹脂であることを特徴とする請求項１記載のデッキ材。
【考案の詳細な説明】
【技術分野】
【０００１】
本考案は、テラスやバルコニーあるいは建物内の床部を構築するのに用いて好適なデッキ材に関する。
【背景技術】
【０００２】
従来、ベランダやバルコニーなどのコンクリート床にユニット式のデッキ構造物を敷設し、そのデッキ構造物でコンクリート床を覆うことが一般に広く行われている。
【０００３】
その種のデッキ構造物として、例えば特許文献１には、複数枚並べられた木製の上板と、これらの上板の下面両端部に当該上板と直交して装着された木製の下板と、下板の下面両端部に装着された高さ調整具とから成るデッキパネルが開示されている。
【０００４】
そして、特許文献１のデッキパネルによれば、これを設置するベランダやバルコニーなどのコンクリート床面が傾斜している場合でも、高さ調整具による前後左右の高さ調整により水平な歩行面を有するデッキを構築することができる。
【先行技術文献】
【特許文献】
【０００５】
【特許文献１】特開平１１−９３３７８号公報
【考案の概要】
【考案が解決しようとする課題】
【０００６】
しかしながら、特許文献１のデッキパネルは、上板および下板が木製とされるもの（ウッドデッキ）であるから、ベランダやバルコニーあるいはテラスなどの床版にして雨水による影響により腐朽しやすく、耐久性に劣るという問題がある。
【０００７】
又、使用に際して、デッキ材としての木製上板が経時的に劣化、あるいは外力により損傷して周囲に木屑が飛散するために、食品工場などで使用される荷台や架台への適用が困難である。
【０００８】
本考案は以上のような事情に鑑みて成されたものであり、その目的は耐久性がよく食品工場などの衛生環境下で用いて好適なデッキ構造物の構築に寄与することにある。
【課題を解決するための手段】
【０００９】
本考案は上記目的を達成するため、第１の合成樹脂材料により成形される帯板状の基材部と、第２の合成樹脂材料により前記基材部の表面上に一体に成形される表層部とから構成されるデッキ材であり、
前記基材部は、その長さ方向に沿って延びる隔壁部により区分された複数列の空洞部を有し、前記表層部には、前記隔壁部に沿ってＶ字状の溝部が形成されていることを特徴とするデッキ材を提供するものである。
【００１０】
又、本考案は、上記のように構成されるデッキ材において、前記第１の合成樹脂材料がポリ塩化ビニルであり、前記第２の合成樹脂材料がアクリロニトリル・スチレン樹脂であることを特徴とする。
【考案の効果】
【００１１】
本考案に係るデッキ材によれば、第１の合成樹脂材料により成形される帯板状の基材部と、第２の合成樹脂材料により基材部の表面上に一体に成形される表層部とから構成されるため、木製デッキ材のように腐朽することがなく、雨曝しとされるテラスやベランダの床部構成材として好適に用いることができ、しかも使用に際して木屑が飛散しないので食品工場などの衛生環境下で使用される荷台や架台の床部構成材として有効である。
【００１２】
又、基材部にはその長さ方向に沿って延びる隔壁部により区分された複数列の空洞部が設けられるので、合成樹脂材料の使用量を削減しながらデッキ材全体の軽量化を図ることができ、しかも隔壁部により大きな上部荷重を支えることができる。
【００１３】
更に、表層部には隔壁部に沿ってＶ字状の溝部が形成されていることから、本考案のデッキ材の敷設により形成される床面では素材性状と相俟って水捌けがよく、しかも溝部により滑りが抑えられるために歩行者が滑って転倒することを防止できる。
【００１４】
加えて、基材部をなす第１の合成樹脂材料に難燃性のポリ塩化ビニルが用いられることから、木製デッキ材に比べて防火上有利であり、しかも表層部をなす第２の合成樹脂材料に耐熱性、耐光性、耐化学薬品性、ならびに耐衝撃性に優れるアクリロニトリル・スチレン樹脂が用いられることから、屋外での使用による太陽熱や太陽光（紫外線）、あるいは化学薬品や外力から基材部を保護し、その劣化や色褪せを抑制することができる。
【図面の簡単な説明】
【００１５】
【図１】本考案に係るデッキ材を部分的に破断して示した斜視図
【図２】本考案に係るデッキ材の横断面を示す部分拡大図
【図３】本考案に係るデッキ材を用いて構築されたデッキボードを示す斜視図
【図４】図３のＸ−Ｘ断面図
【図５】図３のデッキボードを構成する取付枠の平面図
【図６】本考案に係るデッキ材の他の使用形態を示す斜視図
【考案を実施するための形態】
【００１６】
以下、図面に基づいて本考案に係るデッキ材の実施形態を説明する。図１は係るデッキ材を部分的に破断して示した斜視図であり、図２には同デッキ材の横断面（中央部省略）を示す。
【００１７】
図１および図２から明らかなように、係るデッキ材１は方形の横断面を有する偏平な帯板状であり、帯板状の基材部２を心材としてその表面全体を表層部３により被覆した構成とされている。尚、本例において、係るデッキ材１の長さＬは２０００ｍｍ、幅Ｗは１０５ｍｍ、厚さＴは１５ｍｍとされている。又、基材部２と表層部３は、押出成形により同時に一体成形されている。
【００１８】
基材部２は、その長さ方向に沿って延びる複数列（図示例において６列）の空洞部２１を有する中空構造であり、その各空洞部２１は基材部２の長さ方向に沿って延びる複数列（図示例において５列）の隔壁部２２により区分されている。
【００１９】
空洞部２１はデッキ材１の軽量化を図るべく穿設された横穴で、基材部２の長さ方向に連続して形成されており、その両端は外部に開通している。又、隔壁部２２は上部荷重を支える補強用のリブであり、その上下両端は基材部２の上板部２３および下板部２４に一体として連なっている。
【００２０】
特に、基材部２は第１の合成樹脂材料により成形され、当該第１の合成樹脂材料としては難燃性を有するポリ塩化ビニル（ＰＶＣ）が用いられている。尚、ポリ塩化ビニルには、可塑剤の配合量が少ない（０〜５％）硬質塩化ビニル樹脂と、可塑剤の配合量が多い（３０〜５０％）軟質塩化ビニル樹脂とがあるが、本例では硬質塩化ビニル樹脂が用いられる。
【００２１】
又、本例では第１の合成樹脂材料（ポリ塩化ビニル）に褐色の着色剤を添加して基材部２を木材の色調としている。ここに、ポリ塩化ビニルは、成形時において安定剤を加えないと約１７０℃で脱塩化水素反応が起こって褐色に着色するため、通常は有機錫化合物などの安定剤を０．５％程度添加して着色を防止するが、安定剤を添加せずして褐色に着色するようにしてもよい。これによれば、着色剤を添加せずして基材部２を木材の色調にして木製風に仕上げることができる。
【００２２】
一方、表層部３は、基材部２の材料（第１の合成樹脂材料）とは別の第２の合成樹脂材料により基材部２の表面上に一体に成形されている。特に、第２の合成樹脂材料としては、アクリロニトリル・スチレン樹脂（ＡＳ樹脂）が用いられる。アクリロニトリル・スチレン樹脂は、耐熱性、耐光性、耐化学薬品性、耐衝撃性に優れ、しかも強度、硬さ、靭性が高い。これによれば、デッキ材１の全体の劣化を抑制しながら、基材部２の色褪せを防止することができる。尚、本例において、表層部３の層厚は１．５ｍｍとされている。
【００２３】
又、図１および図２から明らかなように、表層部３には基材部２の隔壁部２２に沿ってＶ字状の溝部３１が形成されている。特に、係る溝部３１はデッキ材１の一端から他端に亘って連続して形成されている。尚、本例において、溝部３１の深さは０．５ｍｍとされている。又、図示例において、溝部３１はデッキ材１の上下両面に形成されているが、これを上面側にのみ形成するようにしてもよい。そして、係る溝部３１は滑り止めとして機能するほか、デッキ材１を敷設するときの木ネジの位置決め、案内としても有効に機能する。
【００２４】
次に、上記のように構成されるデッキ材１の使用形態について説明する。図３はデッキ材１を用いて構築された脚付きのデッキボードを示す斜視図であり、図４には図３のＸ−Ｘ断面を示す。図３および図４から明らかなように、係るデッキボードＡは、デッキ材１、取付枠４、及び支持脚５から構成されている。
【００２５】
図４および図５から明らかなように、取付枠４は格子状に組まれた縦桟４１と横桟４２とからなる。縦桟４１と横桟４２はいずれも合成樹脂製であり、それらの交差部分には支持脚５を構成する脚本体５１（床束）が図示せぬ木ネジにより結合されている。脚本体５１は木製の角材であり、その下端にはコンクリート製の土台５２（束石）が設けられている。土台５２には羽子板５３の一端が埋設されており、その羽子板５３を介して脚本体５１と土台５２が連結されている。
【００２６】
一方、デッキ材１は、取付枠４の外周部および上面部に図示せぬ木ネジにより締結される。特に、取付枠４の上面部において、デッキ材１は複数枚（図３において１６枚）が平行に並べられ、上記溝部３１（図３では省略）の位置から当該溝部３１に直交する縦桟４１に対して木ネジをねじ込むことにより取付枠４に固定される。
【００２７】
そして、上記のように構成されるデッキボードＡは、建物の前面などに併設してテラスとしたり、あるいは建物（例えば、食品工場）内に配置して荷台や架台として利用したりすることができる。
【００２８】
一方、本考案に係るデッキ材１の他の使用形態として、図６のようなデッキボードＢを構築することができる。図６において、６は木材あるいは合成樹脂からなる角柱状の下地材である。下地材６は複数本が所定の間隔をあけて平行に並んでおり、それら下地材６の上には当該下地材６に直交して複数のデッキ材１が架設配置されている。
【００２９】
又、各デッキ材１は図示せぬ木ネジにより下地材６に締結されており、図示せぬ木ネジはデッキ材１の溝部３１の位置にて下地材６にねじ込まれている。尚、溝部３１は上記のように基材部２の隔壁部２２に沿って形成（図１および図２参照）されるため、木ネジは溝部３１から隔壁部２２を貫通して下地材６にねじ込まれることになる。したがって、空洞部２１を通して木ネジが視認されることがなく、しかも木ネジの外周に隔壁部２２から締付力が作用するために木ネジの抜け留め効果が上がる。
【００３０】
そして、図６に示されるようなデッキボードＢによれば、ベランダや玄関などのコンクリート床上に設置して使用することができる。
【００３１】
以上、本考案に係るデッキ材の実施形態を説明したが、第１の合成樹脂材料としてポリ塩化ビニルのほか、ポリプロピレンなどを用いることができ、第２の合成樹脂材料としてはアクリロニトリル・スチレン樹脂のほか、フッ素樹脂やアクリル樹脂などを用いることもできる。
【符号の説明】
【００３２】
１  デッキ材
２  基材部
２１  空洞部
２２  隔壁部
２３  上板部
２４  下板部
３  表層部
３１  溝部
４  取付枠
４１  縦桟
４２  横桟
５  支持脚
５１  脚本体
５２  土台
【図１】
0003157891.tif 000003
【図２】
0003157891.tif 000004
【図３】
0003157891.tif 000005
【図４】
0003157891.tif 000006
【図５】
0003157891.tif 000007
【図６】
0003157891.tif 000008